(57)【要約】【課題】ユーザが意図せず、自動電源オン機能を無効にし、自動電源オフ機能を有効にしてしまった場合の自動電源オフ時に、自動電源オンが可能な状態に自動で遷移することでユーザの利便性を向上させる。【手段】外部装置と通信するための通信機能と、電源オフ状態である際に前記通信機能に関する電源オン条件を満たした場合に電源オン状態になる電源オン機能と、を備える情報処理装置であって、前記情報処理装置が所定の電源オフ状態である場合にイベントの発生を検知可能な検知手段と、前記電源オン機能が無効であり且つ所定の状態である際に前記情報処理装置が前記所定の電源オフ状態となり、当該所定の電源オフ状態において前記検知手段により前記電源オン条件に対応するイベントが検知された場合、前記電源オン機能を有効に変更するための所定の処理を実行する実行手段とを有する。【選択図】  図４
2017188044.tif 000002
【特許請求の範囲】
【請求項１】
外部装置と通信するための通信機能と、電源オフ状態である際に前記通信機能に関する電源オン条件を満たした場合に電源オン状態になる電源オン機能と、を備える情報処理装置であって、
前記情報処理装置が所定の電源オフ状態である場合にイベントの発生を検知可能な検知手段と、
前記電源オン機能が無効であり且つ所定の状態である際に前記情報処理装置が前記所定の電源オフ状態となり、当該所定の電源オフ状態において前記検知手段により前記電源オン条件に対応するイベントが検知された場合、前記電源オン機能を有効に変更するための所定の処理を実行する実行手段と
を有することを特徴とする情報処理装置。
【請求項２】
前記情報処理装置の電源状態を制御する制御手段を更に有し、
前記電源オン機能が無効であり且つ前記通信機能が前記所定の状態である際に前記情報処理装置が前記所定の電源オフ状態となり、当該所定の電源オフ状態において前記検知手段により前記電源オン条件に対応するイベントが検知された場合、前記実行手段が前記所定の処理を実行するとともに、前記制御手段が前記情報処理装置を電源オン状態に遷移させることを特徴とする請求項１に記載の情報処理装置。
【請求項３】
前記電源オン機能が無効であり且つ前記通信機能が前記所定の状態である際に、前記情報処理装置を前記所定の電源オフ状態にするための電源オフ命令があった場合、所定の情報を記憶部に記憶する記憶手段を更に有し、
前記実行手段は、前記記憶手段により前記記憶部に前記所定の情報が記憶されている場合に、前記所定の処理を行うことを特徴とする請求項１または２に記載の情報処理装置。
【請求項４】
前記実行手段は、前記所定の処理として、前記電源オン機能を有効に変更することを特徴とする請求項１乃至３のいずれか一項に記載の情報処理装置。
【請求項５】
前記実行手段は、前記所定の処理として、前記電源オン機能を有効に変更することをユーザに促す通知を行い、当該通知に対するユーザの指示に応じて、前記電源オン機能を有効に変更することを特徴とする請求項４に記載の情報処理装置。
【請求項６】
前記情報処理装置は、電源オン状態である際に所定の電源オフ条件を満たした場合に、電源オフ状態になる電源オフ機能を更に備え、
前記所定の電源オフ状態は、前記電源オフ機能による電源オフ状態であることを特徴とする請求項１乃至５のいずれか一項に記載の情報処理装置。
【請求項７】
前記情報処理装置は、消費電力がそれぞれ異なる、前記所定の電源オフ状態を含む複数の電源オフ状態へ遷移可能であり、
電源オン状態である際に前記所定の電源オフ条件が満たされた場合、前記第一の機能が有効であるか否かおよび前記通信機能の状態に応じて、前記複数の電源オフ状態のうちのいずれかに遷移することを特徴とする請求項６に記載の情報処理装置。
【請求項８】
前記所定の状態は、前記情報処理装置が外部ネットワークと接続状態であることを特徴とする請求項１乃至７のいずれか一項に記載の情報処理装置。
【請求項９】
前記情報処理装置は、前記通信機能によりネットワークを介したプリントサービスに対応した画像形成装置であって、
前記所定の状態は、前記プリントサービスへの登録が完了していることを特徴とする請求項１乃至７のいずれか一項に記載の情報処理装置。
【請求項１０】
前記情報処理装置は、前記通信機能によるファクス機能を備え、
前記所定の状態は、ファクス回線が接続状態であることを特徴とする請求項１乃至７のいずれか一項に記載の情報処理装置。
【請求項１１】
前記通信機能に関する前記電源オン条件は、前記通信機能による外部装置との通信が行われたことであることを特徴とする請求項１乃至１０のいずれか一項に記載の情報処理装置。
【請求項１２】
画像を印刷するための印刷部を備えることを特徴とする請求項１乃至１１のいずれか一項に記載の情報処理装置。
【請求項１３】
外部装置と通信するための通信機能と、電源オフ状態である際に前記通信機能に関する電源オン条件を満たした場合に電源オン状態になる電源オン機能と、を備え、所定の電源オフ状態である場合にイベントの発生を検知可能な情報処理装置の制御方法であって、
前記電源オン機能が無効であり且つ所定の状態である際に前記情報処理装置が前記所定の電源オフ状態となり、当該所定の電源オフ状態において前記電源オン条件に対応するイベントが検知された場合、前記電源オン機能を有効に変更するための所定の処理を実行する実行工程を有することを特徴とする制御方法。
【請求項１４】
外部装置と通信するための通信機能と、電源オフ状態である際に前記通信機能に関する電源オン条件を満たした場合に電源オン状態になる電源オン機能と、を備え、所定の電源オフ状態である場合にイベントの発生を検知可能な情報処理装置により実行されるプログラムであって、
前記電源オン機能が無効であり且つ所定の状態である際に前記情報処理装置が前記所定の電源オフ状態となり、当該所定の電源オフ状態において前記電源オン条件に対応するイベントが検知された場合、前記電源オン機能を有効に変更するための所定の処理を実行する実行工程を前記情報処理装置に実行させるためのプログラム。
【発明の詳細な説明】
【技術分野】
【０００１】
本願発明は、情報処理装置およびその制御方法、並びにプログラムに関する。
【背景技術】
【０００２】
従来、印刷装置の１つの機能として、電源オフ時に印刷データを受信すると、自動的に電源をオンにする自動電源オン機能がある（特許文献１）。
【０００３】
一般的に電源オフ状態から電源オン状態への遷移は、装置が起動要因を検出したことで行われ、その際に多くの要因を検出できるようにしておくとユーザへの利便性は高い。一方、電源オフ状態で様々な状態変化を監視しなければならなくなるため電源オフ状態での消費電力が上がってしまうことが知られている。自動電源オン機能においても、本機能を無効にした状態の電源オフ状態の方が、本機能を有効にした場合の電源オフ状態よりも消費電力が少ない。そのため、自動電源オン機能の有効無効をユーザが設定可能な印刷装置がある。
【先行技術文献】
【特許文献】
【０００４】
【特許文献１】特開平１１−０７０７１３号公報
【発明の概要】
【発明が解決しようとする課題】
【０００５】
ユーザが離れた場所からネットワークを介してプリンタを使用している場合に、ユーザが意図せず、プリンタが自動電源オン設定を無効に設定したまま電源オフしてしまうと、外出先からの印刷が出来なくなる。
【０００６】
そこで本発明は、所定の電源オン条件で電源オンとなる機能が、情報処理装置が電源オフになるときに無効となっていることで、ユーザの意図に反して電源オフが維持されてしまうことを低減することができる技術を提供することを目的とする。
【課題を解決するための手段】
【０００７】
上記課題を解決するために本願発明は以下の構成を有する。すなわち、外部装置と通信するための通信機能と、電源オフ状態である際に前記通信機能に関する電源オン条件を満たした場合に電源オン状態になる電源オン機能と、を備える情報処理装置であって、前記情報処理装置が所定の電源オフ状態である場合にイベントの発生を検知可能な検知手段と、前記電源オン機能が無効であり且つ所定の状態である際に前記情報処理装置が前記所定の電源オフ状態となり、当該所定の電源オフ状態において前記検知手段により前記電源オン条件に対応するイベントが検知された場合、前記電源オン機能を有効に変更するための所定の処理を実行する実行手段とを有する。
【発明の効果】
【０００８】
本発明によれば、所定の電源オン条件で電源オンとなる機能が、情報処理装置が電源オフになるときに無効となっていることで、ユーザの意図に反して電源オフが維持されてしまうことを低減することができる。
【図面の簡単な説明】
【０００９】
【図１】本願発明に係るＭＦＰの構成の概略を示す図。
【図２】本願発明に係るＭＦＰ概略構成を示す図。
【図３】本願発明に係るＭＦＰの状態遷移図の一例を示す図。
【図４】本願発明に係るＭＦＰの誤設定防止処理実施時の処理のフローチャート。
【図５】本願発明に係るＭＦＰの誤設定防止処理実施後の処理のフローチャート。
【図６】第二の実施形態に係るＭＦＰの起動要因の設定の一例を示す図。
【図７】第二の実施形態に係るＭＦＰの誤設定防止処理実施時の処理のフローチャート。
【図８】第三の実施形態に係るＭＦＰの起動要因の設定の一例を示す図。
【図９】第三の実施形態に係るＭＦＰの誤設定防止処理実施時の処理のフローチャート。
【発明を実施するための形態】
【００１０】
以下、図面を参照しながら、この発明の実施形態を例示的に説明する。なお、この実施形態に記載されている構成要素の相対配置、表示画面等は、特に特定的な記載がない限りは、この発明の範囲をそれらのみに限定する趣旨のものではない。
【００１１】
＜第一の実施形態＞
本実施形態では、コピーやスキャンなどの機能を備え、且つ、ネットワークを介して外部装置と通信可能な通信機能を備える画像形成装置であるマルチファンクションプリンタ（以後、ＭＦＰ）を例に挙げて説明する。しかし、これに限定するものでは無く、電源制御を行うべき情報処理装置であれば、本願発明は適用可能である。
【００１２】
図１は、本実施形態に係るＭＦＰの構成の概略を示す。ＭＦＰ２００は、スキャナ部１００、操作ＵＩ部１０１、制御部１０２、プリント部１０３、およびＩ／Ｆ部１０４を含んで構成される。スキャナ部１００は、原稿の画像を読み取る。操作ＵＩ部１０１は、後述する操作部２０９、表示部２２１を含み、ユーザからの操作を受け付ける。制御部１０２は、ＭＦＰ２００全体の制御を行う。例えば制御部１０２は後述のＣＰＵ２０２、ＲＯＭ２０３、ＲＡＭ２０４を含み、ＲＯＭ２０４に記憶されているプログラムをＣＰＵ２０２がＲＡＭ２０３上で実行することにより、ＣＰＵ２０２がＭＦＰ２００全体の制御を行う。プリント部１０３は、後述する給紙部２１０、記録部２１１、記録制御部２１２を含み、紙等の記録媒体に印刷を行う印刷部である。Ｉ／Ｆ部１０４は、後述するＩ／Ｆ部２２０、ＷＬＡＮユニット２１５を含み、ＭＦＰ２００に接続されたと外部装置との通信を行う。上記構成により、ＭＦＰ２００は、印刷機能、コピー機能、スキャン機能を有する。
【００１３】
Ｉ／Ｆ部１０４は、有線／無線のローカルエリアネットワーク（以後、ＬＡＮと称す）の通信機能やＵＳＢ通信、ファクス通信が可能であり、ＭＦＰ２００は、Ｉ／Ｆ部１０４を用いて外部装置との通信が可能である。ＭＦＰ２００は、Ｉ／Ｆ部１０４としてＵＳＢホストを搭載し、カードやＵＳＢメモリなどのデバイスとの通信可能であってもよい。
【００１４】
また、ＭＦＰ２００は、電源オンの状態において所定の条件（要因）が満たされた場合に自動で電源をオフにする自動電源オフ機能を有する。この自動電源オフ機能は、ユーザによる操作ＵＩ部１０１の操作等により、有効／無効を設定することができるものとする。ここでの所定の条件（電源オフ条件）とは、例えば、電源オン状態において装置が一定期間使用されない状態で放置された場合などが該当する。更に、ＭＦＰ２００は、電源オフの状態において所定の条件（要因）が満たされた場合に自動で電源をオンにする自動電源オン機能を有する。この自動電源オン機能は、ユーザによる操作ＵＩ部１０１の操作等により、有効／無効を設定することができるものとする。ここでの所定の条件（電源オン条件）とは、例えば、電源オフ時にデータやジョブを受信した場合や、電源オフ状態において予めユーザが指定した時刻になった場合などが該当する。電源がオンオフされる所定の条件の詳細については後述する。
【００１５】
操作ＵＩ部１０１は、ボタン操作などのユーザ操作を受け付ける。操作ＵＩ部１０１は、自動電源オン機能および自動電源オフ機能の有効／無効を示す自動電源オン機能設定、及び自動電源オフ機能設定の表示を行う。また、操作ＵＩ部１０１は、ユーザ操作による自動電源オン機能設定と、自動電源オフ機能設定の変更を受け付ける。ＭＦＰ２００は、自動電源オフ機能において、電源オンの状態で放置されてから電源オフにするまでの一定時間を示す自動電源オフ時間をユーザにより変更可能とする。ここでの変更方法は、操作ＵＩ部１０１において、ボタン操作により任意の時間を設定できるようにしてもよいし、複数ある候補時間から選択できる形式であってもよい。ＭＦＰ２００は、操作ＵＩ部１０１にて、電源オフ指示と電源オン指示を受け付ける。
【００１６】
またＭＦＰ２００は、ユーザが指定した時刻において電源オン状態であった場合に、自動的に電源をオフするタイマーオフ機能を有していてもよい。この場合、ＭＦＰ２００は、操作ＵＩ部１０１にて、タイマーオフ機能で用いられる時刻（日付および時分）のユーザによる設定または変更を受け付ける。またＭＦＰ２００は、ユーザが指定した時刻において電源オフ状態であった場合に、自動的に電源をオンするタイマーオン機能を有していてもよい。この場合にも、ＭＦＰ２００は、操作ＵＩ部１０１にて、タイマーオン機能で用いられる時刻（日付および時分）のユーザによる設定または変更を受け付ける。
【００１７】
図２は、本実施形態に係るＭＦＰ２００の概略構成を示す。ＭＦＰ２００は、メインボード２０１、ＷＬＡＮユニット２１５、及びＡＣ電源接続ユニット２１６を含んで構成される。メインボード２０１は、ＭＦＰ２００のメインの制御を行う。ＷＬＡＮユニット２１５は、無線ＬＡＮ（以後ＷＬＡＮと称す）通信を行う。ＡＣ電源接続ユニット２１６は、ＡＣ電源装置４００を接続することができる。
【００１８】
メインボード２０１においてＣＰＵ２０２は、ＭＦＰ２００の全体を制御する。ＲＯＭ２０３は、不揮発性の記憶部であり、ＣＰＵ２０２が実行する制御プログラムや組み込みオペレーティングシステム（ＯＳ）プログラム等を格納する。本実施形態では、ＲＯＭ２０３に格納されている各制御プログラムは、ＣＰＵ２０２に実行されることにより、ＲＯＭ２０３に格納されている組み込みＯＳの管理下で、スケジューリングやタスクスイッチ等の制御を行う。ＲＡＭ２０４は、揮発性の記憶部であり、ＳＲＡＭ（ｓｔａｔｉｃ  ＲＡＭ）等で構成され、プログラム制御変数等を格納する。また、ＲＡＭ２０４は、ＭＦＰ２００の設定値であるＭＦＰ設定値（ユーザが登録したものも含む）や、ＭＦＰ２００の管理データ等を格納し各種ワーク用バッファ領域が設けられる。不揮発性メモリ２０５は、フラッシュメモリ等で構成され、電源がオフされた時でも消去されずに保持すべきデータが格納される。具体的には、ネットワーク接続情報、ユーザデータなどが該当する。画像メモリ２０６は、ＤＲＡＭ（ｄｙｎａｍｉｃ  ＲＡＭ）等で構成され、各通信ユニットを介して受信した画像データや、符号復号化処理部２０７で処理した画像データなどが格納される。なお、メモリ構成は上記に限定されるものではない。
【００１９】
符号復号化処理部２０７は、ＭＦＰ２００で扱う画像データ（ＪＰＥＧ、ＰＮＧ等）の符号復号化処理や、拡大縮小処理を行う。データ変換部２０８は、ページ記述言語等の解析や、画像データからプリントデータへの変換などを行う。操作部２０９は、ボタン操作などユーザの操作を受け付ける。操作部２０９において、ユーザは、自動電源オン機能及び自動電源オフ機能の設定、自動電源オフ時間の変更、及びタイマーオフ時間の変更ができる。また、自動電源オン機能の設定、自動電源オフ機能の設定、自動電源オフ時間、及びタイマーオフ時間は、ＲＯＭ２０３、ＲＡＭ２０４、または、不揮発性メモリ２０５に格納される。また、ユーザは、ＭＦＰ２００の設定値の変更も操作部２０９を介して行うことができる。
【００２０】
給紙部２１０は、印刷のための紙等の記録媒体（用紙）を保持する。記録制御部２１２からの制御により、給紙部２１０から給紙が行われる。複数種類の用紙を一つの装置に保持するために、複数の給紙部を用意し、記録制御部２１２は、どの給紙部から給紙を行うかの制御を行う構成であってよい。記録制御部２１２は、印刷される画像データに対し、画像処理制御部（不図示）を介して、スムージング処理や記録濃度補正処理、色補正等の各種画像処理を施し、高精細な画像データに変換し、記録部２１１に出力する。また、記録制御部２１２は、記録部２１１の情報を定期的に読みだしてＲＡＭ２０４の情報を更新する。具体的には、記録制御部２１２は、インクタンクの残量やプリントヘッドの状態などを更新する。
【００２１】
ＷＬＡＮユニット２１５は、ＷＬＡＮで通信を行うためのユニットであり、バスケーブル２１４などでメインボード２０１と接続されている。なお、近接無線通信など、別の通信手段が実現可能なユニットを有していてもよい。また、図２ではＷＬＡＮを用いる構成であるが、無線に限定するものではなく、有線ＬＡＮを有する構成であってもよい。電源制御部２１３は、ＭＦＰ２００の駆動に必要な電力を制御する。ファクス部２１９は、ファクス通信を実現するための制御を行う。スキャナ部２１８は、画像読み取り装置であり、ＭＦＰ２００でコピー機能とスキャン機能、ファクス送信機能を実現させる際の読み取り機能を担う。
【００２２】
Ｉ／Ｆ部２２０は、ＵＳＢなどの外部インターフェース機能を有し、外部装置などと通信を行う。表示部２２１は、ＲＯＭ２０３、ＲＡＭ２０４、不揮発性メモリ２０５からＭＦＰ設定値を読み出し、ユーザに対し通知画面の表示や、操作方法などを知らせる画面を表示する。また、表示部２２１は、自動電源オン機能および自動電源オフ機能の設定、自動電源オフ時間、もしくはタイマーオフ時間の表示も行う。表示部２２１は更に、自動電源オン機能、及び自動電源オフ機能の説明を表示してもよい。上記の各構成要素は、ＣＰＵ２０２が管理するシステムバス２２２を介して、相互に接続される。復帰監視部２１７は、ＭＦＰ２００が電源オフ状態時に、電源オン状態へ移行すべき要因が発生したか否かを監視する。移行すべき要因の一例は、操作部２０９にてユーザによるボタン操作を検出した場合が相当する。
【００２３】
図３は、ＭＦＰ２００の状態遷移の一例を説明するための図である。本実施形態に係るＭＦＰ２００は、電源オンの状態（Ｐ３０４）と、３つの電源オフの状態（Ｐ３０１〜Ｐ３０３）の４つの電源状態に遷移可能であるとし、これらを用いて説明する。消費電力としては、電源オフ状態１（Ｐ３０１）が最も低く、次いで電源オフ状態２（Ｐ３０２）、より高い状態が電源オフ状態３（Ｐ３０３）、最も高い状態が電源オン状態（Ｐ３０４）となる。つまり、消費電力の関係は、Ｐ３０４＞Ｐ３０３＞Ｐ３０２＞Ｐ３０１となる。なお、本実施形態では、３つの電源オフ状態の場合を示しているが、実際には状態数が変わってもよく、また、それらの遷移経路もここで示した遷移に限定されるものではない。
【００２４】
電源オフ状態１（Ｐ３０１）は、ＭＦＰ２００のほぼすべてのモジュールが停止している状態であるが、予め定められた起動要因１は検出できる状態である。モジュールとは、例えば、図２で示したブロック（構成要素）に相当する。ただし、モジュールは、図２のブロックに限定されるものでは無く、さらに細かい単位に設定してもよい。本実施形態では、電源オフ状態１（Ｐ３０１）、電源オフ状態２（Ｐ３０２）、電源オフ状態３（Ｐ３０３）、および電源オン状態（Ｐ３０４）などの装置の動作状態に応じて、必要なモジュールだけを動作させる。これにより、不必要なモジュールは停止、或いは、省電力動作状態へと遷移させ、装置全体を省電力化できる。Ｐ３０１の状態において、ＭＦＰ２００は、起動要因１を検出した場合にのみ電源オン状態（Ｐ３０４）に移行し、それ以外の命令を処理しない。つまり、起動要因１以外の要因（命令）が生じた場合でも、ＭＦＰ２００は、現在の電力状態（Ｐ３０１）を維持する。起動要因１は、例えば、ユーザが電源キー（不図示）を押下した場合である。
【００２５】
電源オフ状態２（Ｐ３０２）は、ＭＦＰ２００のうちネットワークモジュールを含む一部のモジュールが停止している状態であり、起動要因１に加え、起動要因２に関して検出できる状態である。Ｐ３０２の状態において、ＭＦＰ２００は、起動要因１と起動要因２が発生した場合にのみ電源オン状態（Ｐ３０４）に移行し、それ以外の命令を処理しない。起動要因２は、例えば、自動電源オン機能が有効である場合の、ユーザからのコピー操作実行、ＵＳＢ経由での印刷ジョブの受信である。
【００２６】
電源オフ状態３（Ｐ３０３）は、ＭＦＰ２００のうちネットワークモジュールを含まない一部のモジュールが停止している状態であり、起動要因１、２に加え、起動要因３に関しては検出できる状態である。つまり、電源オフ状態３（Ｐ３０３）では、ネットワークモジュールは、起動している状態である。ネットワークモジュールとは、例えば、図２で示したＷＬＡＮユニット２１５が該当する。Ｐ３０３の状態において、ＭＦＰ２００は、起動要因１、起動要因２、及び起動要因３が発生した場合にのみ電源オン状態（Ｐ３０４）に移行し、それ以外の命令を処理しない。起動要因３は、例えば、自動電源オン機能が有効である場合の、ネットワーク経由での印刷ジョブの受信や、ネットワーク経由での装置操作や、外部サーバー経由でのＭＦＰ２００の機能の使用要求の受信である。なお、起動要因１〜３は、前述の例に制限されるものではない。
【００２７】
電源オン状態（Ｐ３０４）は、ＭＦＰ２００のすべてのモジュールが起動している状態である。Ｐ３０４の状態において、ＭＦＰ２００は、ＭＦＰの設定の変更や、自動電源オンおよび自動電源オフの設定の変更を実行することができる。また、Ｐ３０４の状態において、ＭＦＰ２００は、印刷命令などＭＦＰ２００が備える機能に対する命令を受け付けて、その命令に基づく処理を実行することができる。
【００２８】
電源オン状態（Ｐ３０４）から、電源オフ状態１（Ｐ３０１）、電源オフ状態２（Ｐ３０２）、電源オフ状態３（Ｐ３０３）のいずれかの電源オフ状態への状態遷移は、パワーＯＦＦ命令（電源オフ命令）をトリガーとして実行される。パワーＯＦＦ命令を受けた際の本体状態により、どの電源オフ状態になるかが決定される。パワーＯＦＦ命令としては、例えば外部イベントが無い状態で、予め設定したパワーＯＦＦ時間が経過した場合などが挙げられる。ここで、外部イベントとは、操作部２０９がユーザの本体操作を検出した場合や、印刷命令を受け付けた場合など、ＭＦＰ２００が処理すべき外部からのイベントなどが該当する。本体状態とは、自動電源オン機能が有効であるかを含むＭＦＰ２００の状態である。
【００２９】
［フローチャート］
図４は、本実施形態に係る、電源オン状態（Ｐ３０４）から各電源オフ状態への遷移フローである。まず、誤設定防止処理を用いた電源オフ状態３（Ｐ３０３）へ移行フローを説明する。ＭＦＰ２００が、電源オン状態（Ｐ３０４）において、パワーＯＦＦ命令を受けると本処理フローが開始する。本処理は、ＣＰＵ２０２が、ＲＯＭ２０３等に格納されたプログラムを読み出して実行することにより実現される。
【００３０】
Ｓ４０１にて、ＣＰＵ２０２は、自動電源オン機能が有効であるか無効であるかを判定する。無効であれば（Ｓ４０１にてＮＯ）Ｓ４０２に進み、有効であれば、（Ｓ４０１にてＹＥＳ）Ｓ４０４へ進む。
【００３１】
Ｓ４０２にて、ＣＰＵ２０２は、ネットワーク（通信機能）使用状態の判定を行う。例えば、通信機能が使用可能か否かを判定する。ネットワーク（通信機能）使用状態の判定は、例えば、ＲＯＭ２０３、ＲＡＭ２０４、もしくは不揮発性メモリ２０５に格納されたＭＦＰ２００のＭＦＰ設定値のネットワーク設定が有効になっていることで判定してもよい。もしくは、ＷＬＡＮ通信を行うＷＬＡＮユニット２１５の使用状況から判定してもよい。または、ＷＬＡＮユニット２１５が実際にアクセスポイントなどとの通信が行われていることをもって判定してもよい。ネットワーク使用状態と判定された場合は（Ｓ４０２にてＹＥＳ）Ｓ４０３に進み、不使用状態であると判定された場合は（Ｓ４０２にてＮＯ）Ｓ４０５へ進む。
【００３２】
本実施形態において、ネットワーク使用状態でパワーＯＦＦ命令を受けた場合とは、例えばプリンタが電源オフ状態のときにネットワークを介してデータが送信された場合に、そのデータの受信やデータ処理をユーザが希望しているにもかかわらず、自動電源オン機能を無効にして電源キーを押した場合がある。あるいは、ユーザに上記の希望があるにもかかわらず、自動電源オフ機能を有効に、自動電源オン機能を無効に誤って設定した可能性があると判定する。そして、ユーザが誤って自動電源オン機能を無効にしている可能性を考慮し、誤設定防止処理を開始させる。そのため、Ｓ４０３にて、ＣＰＵ２０２は、不揮発性メモリ２０５に誤設定防止処理の開始を指定させるか否かを示す開始ＦＬＧに対し、開始させる旨を示す１を設定する。（開始ＦＬＧ＝１）。そして、Ｓ４０６へ進む。
【００３３】
Ｓ４０６にて、ＣＰＵ２０２は、ＭＦＰ２００の電源状態を電源オフ状態３（Ｐ３０３）へ移行させる。
【００３４】
本実施形態において、誤設定防止処理とは、ユーザが誤って自動電源オン機能を無効にしており、ネットワーク使用状態であるにもかかわらず電源オフされると判定した際において、所定の起動要因を検出した場合、誤設定が行われている旨をユーザに通知し、設定変更を促す処理である。つまり、本実施形態において、開始ＦＬＧが１に設定されている場合には、ユーザが自動電源オン機能を誤って無効にしている可能性があると判断し、その旨を示す。
【００３５】
Ｓ４０４にて、ＣＰＵ２０２は、Ｓ４０２と同様に、ネットワーク使用状態の判定を行う。ネットワーク使用状態であると判定された場合は（Ｓ４０４にてＹＥＳ）、Ｓ４０６にて、ＣＰＵ２０２は、ネットワークに関する起動要因が含まれる起動要因３でも自動電源オンできるよう、ＭＦＰ２００の電源状態を、電源オフ状態３（Ｐ３０３）へ遷移させる。ネットワーク未使用状態であったと判定された場合は（Ｓ４０４にてＮＯ）、Ｓ４０７へ進み、ＣＰＵ２０２は、ネットワークに関する起動要因が含まれない起動要因２で自動電源オンできるように、電源オフ状態２（Ｐ３０２）へ遷移させる。
【００３６】
Ｓ４０５にて、ＣＰＵ２０２は、ＭＦＰ２００の電源状態を、電源オフ状態１（Ｐ３０１）へ遷移させる。
【００３７】
本実施形態において、ネットワークを介してＭＦＰ２００を使用している状態のユーザがいる場合に、誤設定防止処理を実行する。そのため、Ｓ４０２でネットワーク未使用状態であると判定された場合は誤設定防止処理を実行しない。本実施形態は、ネットワーク未使用の状態であればユーザが装置の近くにいる可能性が高く、誤って自動電源オン無効の状態で電源オフしたとしてもユーザへの不利益が少ないものとしている。また、誤設定防止処理を実施しないことにより待機電力が少なくなるというメリットを優先させている。
【００３８】
（電源オフ状態時のフロー）
誤設定防止処理を開始し、自動で電源オフ状態３（Ｐ３０３）へ移行した後の制御を図５のフローチャートを用いて説明する。前述の通り、電源オフ状態３（Ｐ３０３）は、起動要因１〜３のいずれかが発生した場合に、電源オン状態（Ｐ３０４）に移行する。電源オフ状態３（Ｐ３０３）で起動要因１〜３のいずれかが発生した際にＭＦＰ２００は、復帰監視部２１７を用いて、起動要因１〜３のいずれが発生したことを検出する。そして、復帰監視部２１７は、起動要因１〜３のうち、どの起動要因が発生したかをＲＡＭ２０４、不揮発性メモリ２０５などのメモリに記憶する。この情報に基づき、ＣＰＵ２０２が以下の処理を実行する。本処理は、ＣＰＵ２０２が、ＲＯＭ２０３等に格納されたプログラムを読み出して実行することにより実現される。
【００３９】
Ｓ５０１にて、ＣＰＵ２０２は、不揮発性メモリ２０５に誤設定防止処理が開始された旨の情報が保存されているかを判定する。すなわち、開始ＦＬＧ＝１であるか否かが判定される。開始ＦＬＧ＝１である場合は（Ｓ５０１にてＹＥＳ）Ｓ５０２へ進み、開始ＦＬＧ＝１でない場合は（Ｓ５０１にてＮＯ）Ｓ５０６へ進む。
【００４０】
Ｓ５０２にて、ＣＰＵ２０２は、開始ＦＬＧに０を設定する。
【００４１】
Ｓ５０３にて、ＣＰＵ２０２は、検出した起動要因が、自動電源オン復帰要因か否かを判定する。ここでの自動電源オン復帰要因とは、自動電源オン機能が有効であった場合のオフ状態で検出された場合に自動的に電源オンとなる起動要因であり、本実施形態では起動要因２と起動要因３に対応する。また、本実施形態では、自動電源オン復帰要因以外の復帰要因とは起動要因１（例えば電源キー押下）に対応する。自動電源オン復帰要因による復帰と判定された場合は（Ｓ５０３にてＹＥＳ）Ｓ５０４に進み、それ以外の復帰要因である場合は（Ｓ５０３にてＮＯ）Ｓ５０６へ進む。
【００４２】
Ｓ５０４にて、ＣＰＵ２０２は、ユーザに自動電源オン機能の設定を無効のままでオフされた旨を通知する。つまり、仮に自動電源オン機能が有効であれば、本来、Ｓ５０４の段階で電源オン状態（Ｐ３０４）となるはずである。しかし、実際にはＳ５０４の処理が行われる場合、自動電源オン機能が無効であるため、Ｓ５０４での通知により、ユーザの意図通りに設定できていない可能性がある旨を知らせる。通知方法としては、操作ＵＩ部１０１で通知画面を表示する方法でもよいし、通知内容を印刷することでユーザに通知する方法でもよい。なお、上記の通知において、Ｓ５０３で判定された復帰要因の内容や、自動電源オン機能を有効にすれば該復帰要因により自動的に電源がオンになる旨を通知してもよい。
【００４３】
Ｓ５０５にて、ＣＰＵ２０２は、自動電源オン機能の設定を有効に変更する。ここでの設定変更は、Ｓ５０４での通知時にユーザに許可を求め、ユーザの承諾を得られた場合のみ設定変更を行う構成であってもよい。
【００４４】
Ｓ５０６にて、ＣＰＵ２０２は、ＭＦＰ２００の電源状態を、電源オン状態（Ｐ３０４）に復帰させる。なお、電源オン状態（Ｐ３０４）への遷移は前述の起動要因を受けた段階より始まっているものであり、電源オン状態への遷移がＳ５０５後、もしくは、Ｓ５０３とＳ５０１でＮＯであった後から開始するように限定するものではない。
【００４５】
以上、本実施形態により、自動電源オン機能および自動電源オブ機能を備えた装置において、ユーザが各機能の誤設定を行っていた場合でも、設定変更を促し、ユーザビリティを向上させることができる。
【００４６】
なお、上記の実施形態における誤設定の可能性についての通知タイミングとして、自動電源オン機能が無効である電源オフ状態において、自動電源オン復帰要因が発生したタイミング（Ｓ５０４）を例に説明した。しかしこれに限らず、例えば自動電源オン機能が無効で且つネットワーク使用状態のときに電源をオフする場合（Ｓ４０２にてＹＥＳ）に、Ｓ５０４の通知が行われてもよい。そして、ユーザが上記の通知を受けた上で、再度電源オフを指示した場合に、電源をオフするようにしてもよい。
【００４７】
＜第二の実施形態＞
本実施形態では、コピーやスキャンなどの機能を備え、且つ、ネットワークに接続可能でＭＦＰの制御例について説明する。また、本実施形態に係るＭＦＰは、クラウドプリントサービスに対応しているものとする。なお、以下の説明において、第一の実施形態と重複する箇所については、説明を省略する。
【００４８】
本実施形態に係るＭＦＰの構成は、第一の実施形態にて示した図１の構成と同様である。ここで、本実施形態ではクラウドプリントサービスに対応しているため、これについて説明する。ユーザは、操作ＵＩ部１０１を用いてクラウドプリントサービスへの登録要求を行い、Ｉ／Ｆ部１０４を介して外部サーバー（不図示）へ登録処理を行う。登録処理を実施することでクラウドサービスはユーザとＭＦＰの関連付けを行う。登録処理が完了すると、外部ネットワーク（インターネット等）からクラウドサービスを提供するサイトやメールサーバ経由で印刷要求を出すことで、ＭＦＰ２００に印刷ジョブを送ることが出来るようになる。なお、ＭＦＰとクラウドサービスへの登録及び関連付けは本実施形態に示したものに限定せず、外部機器を用いた登録方法でもよい。また、関連付けられたデータの管理は、例えば、外部サーバーが行うものとし、クラウドプリントサービスの利用方法等については説明を省略する。
【００４９】
また、本実施形態において、図２の表示部２２１と操作部２０９を用いることで、ユーザがクラウドサービスへの登録要求を行え、ＷＬＡＮユニット２１５を介して外部サーバーへ登録要求が行える。その後、クラウドサービスへの登録が完了すると、不揮発性メモリ２０５にＭＦＰ２００がクラウドサービスに登録済みであるという情報が記憶される。
【００５０】
図６は、本実施形態に係る、ＭＦＰ２００の起動要因の一例を示す。電源オフ状態１（Ｐ３０１）は、ＭＦＰ２００のほぼすべてのモジュールが停止している状態であるが、起動要因１は検出できる状態である。Ｐ３０１の状態において、ＭＦＰ２００は、起動要因１を検出した場合にのみ電源オン状態（Ｐ３０４）に移行し、それ以外の命令を処理しない。つまり、起動要因１以外の要因（命令）が生じた場合でも、ＭＦＰ２００は、現在の電力状態（Ｐ３０１）を維持する。本実施形態において、起動要因１は、電源キー（不図示）の押下である。
【００５１】
電源オフ状態２（Ｐ３０２）は、ＭＦＰ２００のうちネットワークモジュールを含む一部のモジュールが停止している状態であり、起動要因１に加え、起動要因２に関して検出できる状態である。Ｐ３０２の状態において、ＭＦＰ２００は、起動要因１、２が発生した場合にのみ電源オン状態（Ｐ３０４）に移行し、それ以外の命令を処理しない。本実施形態において、起動要因２は、ＵＳＢ経由での印刷ジョブの受信、メモリカード挿入、ＦＡＸ受信、電源キー（不図示）以外のキー操作である。
【００５２】
電源オフ状態３（Ｐ３０３）は、ＭＦＰ２００のうちネットワークモジュールを含まない一部のモジュールが停止している状態であり、起動要因１、２に加え、起動要因３に関しては検出できる状態である。Ｐ３０３の状態において、ＭＦＰ２００は、起動要因１〜３が発生した場合にのみ電源オン状態（Ｐ３０４）に移行し、それ以外の命令を処理しない。本実施形態において、起動要因３は、ネットワーク経由でのジョブの受信、ネットワーク経由でのＭＦＰ２００の機能のユーザ操作である。なお、起動要因１〜３に関しては前述の例に制限されるものではない。
【００５３】
［処理フロー］
図７を用いて電源オン状態（Ｐ３０４）から、電源オフ状態１（Ｐ３０１）、電源オフ状態２（Ｐ３０２）、電源オフ状態３（Ｐ３０３）への遷移フローを説明する。ＭＦＰ２００が、電源オン状態（Ｐ３０４）において、パワーＯＦＦ命令を受けると本処理フローが開始する。本処理は、ＣＰＵ２０２が、ＲＯＭ２０３等に格納されたプログラムを読み出して実行することにより実現される。
【００５４】
Ｓ７０１にて、ＣＰＵ２０２は、自動電源オン機能が有効であるか無効であるか判定する。無効であれば（Ｓ７０１にてＮＯ）Ｓ７０２に進み、有効であれば（Ｓ７０１にてＹＥＳ）Ｓ７０４へ進む。
【００５５】
Ｓ７０２にて、ＣＰＵ２０２は、クラウドサービスへの登録状況の判定を行う。クラウドサービスへの登録状況の判定方法は、ＲＯＭ２０３、ＲＡＭ２０４、不揮発性メモリ２０５、画像メモリ２０６などの各種メモリに格納されたＭＦＰ２００の設定情報よりクラウドサービスへの登録が完了しているかを判定する。ここでクラウドサービスへの登録完了に加えてネットワークに接続できているか否かも判定基準に加えてもよい。クラウドサービスへの登録が完了していた場合は（Ｓ７０２にてＹＥＳ）Ｓ７０３に進み、未完了の場合は（Ｓ７０２にてＮＯ）Ｓ７０５へ進む。
【００５６】
本実施形態において、クラウドサービスへ登録が完了した状態での自動電源オフ時はユーザの誤設定である可能性が高いと判定する。そして、ユーザが誤って自動電源オン機能を無効にしている可能性を考慮し、誤設定防止処理を開始させる。そのため、Ｓ７０３にて、ＣＰＵ２０２は、不揮発性メモリ２０５に誤設定防止処理が開始されたか否かを示す開始ＦＬＧに対し、開始した旨を示す１を設定する。（開始ＦＬＧ＝１）。そして、Ｓ７０４へ進む。
【００５７】
Ｓ７０４にて、ＣＰＵ２０２は、ネットワーク使用状態の判定を行う。ネットワーク使用状態の判定は、例えば、ＲＯＭ２０３、ＲＡＭ２０４、もしくは不揮発性メモリ２０５に格納されたＭＦＰ２００のＭＦＰ設定値のネットワーク設定が有効になっていることで判定してもよい。もしくは、ＷＬＡＮ通信を行うＷＬＡＮユニット２１５の使用状況から判定してもよい。または、ＷＬＡＮユニット２１５が実際にアクセスポイントなどとの通信が行われていることをもって判定してもよい。ネットワーク使用状態と判定された場合は（Ｓ７０４にてＹＥＳ）Ｓ７０７に進み、不使用状態であると判定された場合は（Ｓ７０４にてＮＯ）Ｓ７０６へ進む。
【００５８】
Ｓ７０５にて、ＣＰＵ２０２は、ＭＦＰ２００の電源状態を電源オフ状態１（Ｐ３０１）へ移行させる。Ｓ７０６にて、ＣＰＵ２０２は、ＭＦＰ２００の電源状態を電源オフ状態２（Ｐ３０２）へ移行させる。Ｓ７０７にて、ＣＰＵ２０２は、ＭＦＰ２００の電源状態を電源オフ状態３（Ｐ３０３）へ移行させる。
【００５９】
本実施形態は、ネットワークで使用するクラウドサービスに登録が完了しているユーザに対し誤設定防止処理を行う。クラウドサービスを利用するユーザは外出先からも印刷を実行できるため誤って設定した場合の不利益が多い。また、本実施形態では、クラウドサービスへの登録が完了していない状態であればユーザが装置の近くにいる可能性が高く、誤って自動電源オン無効の状態で電源オフしたとしてもユーザへの不利益が少ないものとしている。つまり、クラウドサービスに登録していないユーザに対しては、あえて誤設定防止処理を実施しないことで待機電力が少ないというメリットの方を優先させている。
【００６０】
以上、本実施形態により、クラウドサービスを登録しているユーザに対し、第一の実施形態と同様の効果を得ることができる。
【００６１】
＜第三の実施形態＞
本実施形態では、コピーやスキャンなどの機能を備え、且つ、ファクシミリ回線に接続可能なＭＦＰを例に挙げて説明する。なお、以下の説明において、第一の実施形態と重複する箇所については、説明を省略する。
【００６２】
本実施形態に係るＭＦＰの構成は、第一の実施形態にて示した図１の構成と同様である。ここで、本実施形態では、ファクシミリ回線を有するため、ファクシミリ制御に関する説明を行う。ＭＦＰ２００は、Ｉ／Ｆ部１０４から公衆回線網とＩＰ網等を介して外部装置とのファクシミリ通信が可能な構成となっており、ファクスモデムなどを備える。
【００６３】
また、本実施形態において、ファクシミリ送信時は、ユーザが、図２の表示部２２１と操作部２０９を用いて送信をＭＦＰ２００に指示し、スキャナ部２１８にてファクス送信画像を読み取らせる。ＭＦＰ２００は、画像メモリ２０６にて読み取った画像データを蓄積する。ＭＦＰ２００は、符号復号化処理部２０７にてＭＨ、ＭＲ、ＭＭＲ等の公知の圧縮形式で画像データを符号化し、ファクスデータをＩ／Ｆ部１０４を介して対向機へ送信する。ファクス受信時は、ＭＦＰ２００は、Ｉ／Ｆ部１０４を介して受信したＭＨ、ＭＲ、ＭＭＲ等で符号化された画像データを画像メモリ２０６にて蓄積し、符号復号化処理部２０７にて復号化する。そして、ＭＦＰ２００は、画像データへ復号化した後、データ変換部２０８にて画像データからプリントデータへの変換を行う。その後、ＭＦＰ２００は、記録制御部２１２の制御で給紙部２１０から給紙を行い、記録制御部２１２にて色補正等の各種画像処理を施し、高精細な画像データに変換し、記録部２１１に出力する。
【００６４】
図８は、本実施形態に係る、ＭＦＰ２００の起動要因の一例を示す。電源オフ状態１（Ｐ３０１）は、ＭＦＰ２００のほぼすべてのモジュールが停止している状態であり、起動要因１を検出できる状態である。Ｐ３０１の状態において、ＭＦＰ２００は、起動要因１を検出した場合にのみ電源オン状態（Ｐ３０４）に移行し、それ以外の命令を処理しない。つまり、起動要因１以外の要因（命令）が生じた場合でも、ＭＦＰ２００は、現在の電力状態（Ｐ３０１）を維持する。本実施形態において、起動要因１は、電源キー押下である。
【００６５】
電源オフ状態２（Ｐ３０２）は、ＭＦＰ２００のうちファクスモジュールを含む一部のモジュールが停止している状態であり、起動要因１に加え、起動要因２を検出できる状態である。Ｐ３０２の状態において、ＭＦＰ２００は、起動要因１、２が発生した場合にのみ電源オン状態（Ｐ３０４）に移行し、それ以外の命令を処理しない。本実施形態において、起動要因２は、ＵＳＢ経由での印刷ジョブの受信、メモリカード挿入、ネットワーク経由でのジョブの受信、ネットワーク経由でのＭＦＰ２００の機能のユーザ操作、電源キー（不図示）以外のキー操作である。
【００６６】
電源オフ状態３（Ｐ３０３）は、ＭＦＰ２００のうちファクスモジュールを含まない一部のモジュールが停止している状態であり、起動要因１、２に加え、起動要因３を検出できる状態である。Ｐ３０３の状態において、ＭＦＰ２００は、起動要因１〜３が発生した場合にのみ電源オン状態（Ｐ３０４）に移行し、それ以外の命令を処理しない。本実施形態において、起動要因３は、ファクス受信である。なお、起動要因１〜３に関しては前述の例に制限されるものではない。
【００６７】
［処理フロー］
図９のフローチャートを用いて電源オン状態（Ｐ３０４）から電源オフ状態１（Ｐ３０１）、電源オフ状態２（Ｐ３０２）、電源オフ状態３（Ｐ３０３）への遷移フローを説明する。ＭＦＰ２００が、電源オン状態（Ｐ３０４）において、パワーＯＦＦ命令を受けると本処理フローが開始する。本処理は、ＣＰＵ２０２が、ＲＯＭ２０３等に格納されたプログラムを読み出して実行することにより実現される。
【００６８】
Ｓ９０１にて、ＣＰＵ２０２は、自動電源オン機能が有効であるか無効であるか判定する。無効であれば（Ｓ９０１にてＮＯ）Ｓ９０２に進み、有効であれば（Ｓ９０１にてＹＥＳ）Ｓ９０４へ進む。
【００６９】
Ｓ９０２にて、ＣＰＵ２０２は、ＭＦＰ２００がファクス回線に接続されているか未接続であるか否かを判定する。ここでの判定方法は、Ｉ／Ｆ部１０４においてファクスモデムを用いて回線の電圧を測定し回線接続状態を検知してもよい。また、Ｉ／Ｆ部１０４にファクス回線の電圧を検出できる回路を備える構成とし、その回路にて回線接続状態を検知できるようにしてもよい。また、ファクス回線接続情報を予め各種メモリにＭＦＰ２００の設定情報として記憶させておき、本設定情報を参照することでファクス回線接続されているか判定してもよい。なお、判定に用いられるイベントや状態を検知可能な検知手段は上記に限定するものではなく、他の方法であってもよい。ファクス回線に接続されていた場合は（Ｓ９０２にてＹＥＳ）Ｓ９０３に進み、未接続の場合は（Ｓ９０２にてＮＯ）Ｓ９０５へ進む。
【００７０】
本実施形態においては、ファクス回線接続状態での自動電源オフ時はユーザの誤設定である可能性が高いと判定する。そして、ユーザが誤って自動電源オン機能を無効にしている可能性を考慮して、誤設定防止処理を開始させる。そのため、Ｓ９０３にて、ＣＰＵ２０２は、不揮発性メモリ２０５に誤設定防止処理が開始されたか否かを示す開始ＦＬＧに対し、開始した旨を示す１を設定する。（開始ＦＬＧ＝１）。そして、Ｓ９０６へ進む。
【００７１】
Ｓ９０４にて、ＣＰＵ２０２は、Ｓ９０２と同様に、ファクス回線接続状態の判定を行う。ファクス回線に接続されている場合は（Ｓ９０４にてＹＥＳ）Ｓ９０６へ進み、未接続の場合は（Ｓ９０４にてＮＯ）Ｓ９０７へ進む。
【００７２】
Ｓ９０５にて、ＣＰＵ２０２は、ＭＦＰ２００の電源状態を電源オフ状態１（Ｐ３０１）へ移行させる。Ｓ９０６にて、ＣＰＵ２０２は、ＭＦＰ２００の電源状態を電源オフ状態３（Ｐ３０３）へ移行させる。Ｓ９０７にて、ＣＰＵ２０２は、ＭＦＰ２００の電源状態を電源オフ状態２（Ｐ３０２）へ移行させる。
【００７３】
本実施形態は、ファクス回線に接続されておりファクス受信を行う可能性のあるユーザに対し誤設定防止処理を行う。ファクス回線に接続したユーザはファクス機能を利用している可能性が高く、ユーザが誤って自動電源オン無効設定としていた場合にはファクスを受信できないオフ状態に遷移してしまうため不利益が多い。また、本実施形態では、ファクス回線に接続させていないユーザに対しては、あえて誤設定防止処理を実施しないことで待機電力が少ないというメリットを優先させている。
【００７４】
以上、本実施形態により、ファクス受信を行う可能性のあるユーザに対し、第一の実施形態と同様の効果を得ることができる。
【００７５】
＜その他の実施形態＞
本発明は、上述の実施形態の１以上の機能を実現するプログラムを、ネットワーク又は記憶媒体を介してシステム又は装置に供給し、そのシステム又は装置のコンピューターにおける１つ以上のプロセッサーがプログラムを読出し実行する処理でも実現可能である。また、１以上の機能を実現する回路（例えば、ＡＳＩＣ）によっても実現可能である。
【符号の説明】
【００７６】
２００…ＭＦＰ、２０２…ＣＰＵ、２１３…電源制御部、２１６…ＡＣ電源接続ユニット、２１７…復帰監視部
【図１】
2017188044.tif 000003
【図２】
2017188044.tif 000004
【図３】
2017188044.tif 000005
【図４】
2017188044.tif 000006
【図５】
2017188044.tif 000007
【図６】
2017188044.tif 000008
【図７】
2017188044.tif 000009
【図８】
2017188044.tif 000010
【図９】
2017188044.tif 000011